(57)【要約】利用者端末（５）から指定された複数の銀行口座の現在預金残高を銀行端末（３）に問合せる段階（Ｓ３３）と、各銀行端末から送信された前記銀行口座の現在預金残高を銀行口座毎に並べて利用者端末のディスプレイ画面に表示させる残高表示段階（Ｓ３３）と、利用者端末から指定された特定の銀行口座から支払われた支出金額とこの銀行口座に振込まれた収入金額と取引日付とを取引毎に記録した明細情報を銀行端末に問合せる明細問合せ段階（Ｓ３６）と、銀行端末から送信された、前記銀行口座の前記明細情報を利用者端末のディスプレイ画面に表示させる明細書表示段階（Ｓ３８）とを備えている。
2002027576.tif 000002
【特許請求の範囲】
【請求項１】
インターネットを介して、利用者の端末及び複数の銀行の端末に接続され、利用者の各銀行に対する預金の管理を支援するインターネットバンキング支援方法において、
利用者端末から指定された複数の銀行口座の現在預金残高を銀行端末に問合せる段階と、
各銀行端末から送信された前記銀行口座の現在預金残高を銀行口座毎に並べて利用者端末のディスプレイ画面に表示させる残高表示段階と、
利用者端末から指定された特定の銀行口座から支払われた支出金額とこの銀行口座に振込まれた収入金額と取引日付とを取引毎に記録した明細情報を銀行端末に問合せる明細問合せ段階と、
銀行端末から送信された、前記銀行口座の前記明細情報を利用者端末のディスプレイ画面に表示させる明細書表示段階と
を備えたことを特徴とするインターネットバンキング支援方法。
【請求項２】
インターネットを介して、利用者の端末及び複数の銀行の端末に接続され、利用者の各銀行に対する預金の管理を支援するインターネットバンキング支援方法において、
利用者端末から取引を行う複数の銀行口座を指定する情報とこの複数の銀行口座毎の支出予定と収入予定に関する情報を受け入れる予定入力段階と、
利用者端末から指定された複数の銀行口座の現在預金残高を銀行端末に問合せる段階と、
各銀行端末から送信された前記銀行口座の現在預金残高と前記支出予定と収入予定に基づいて計算により求めた所定期間経過後の預金予想残高を銀行口座毎に並べて利用者端末のディスプレイ画面に表示させる残高表示段階と、
利用者端末から指定された特定の銀行口座から支払われる予定の支出金額とこの銀行口座に振込まれる予定の収入金額と取引予定の日付とを予定取引毎に記録した予定明細情報を利用者端末のディスプレイ画面に表示させる予定明細書表示段階と
を備えたことを特徴とするインターネットバンキング支援方法。
【請求項３】
前記予定入力段階は、
支払われる予定の支出金額と支払予定日付に関する情報は支払予定先の端末からインターネットを介して入力される支払予定入力段階と、前記振込まれる予定の収入金額と振込予定日付に関する情報は振込予定先の端末からインターネットを介して入力される振込予定入力段階とを備えたものであることを特徴とする請求項２記載のインターネットバンキング支援方法。
【請求項４】
前記残高表示段階は、
前記現在預金残高と前記預金予想残高が所定の額よりも少ない又は不足している場合には利用者端末のディスプレイ画面に注意を喚起する表示を行わせる注意喚起段階を備えたことを特徴とする請求項１または２記載のインターネットバンキング支援方法。
【請求項５】
インターネットを介して、利用者の端末及び複数の銀行の端末に接続され、利用者の各銀行に対する預金の管理を支援するインターネットバンキング支援方法において、
利用者端末から指定された複数の銀行口座の現在預金残高を銀行端末に問合せる段階と、
各銀行端末から送信された前記銀行口座の現在預金残高を銀行口座毎に並べて利用者端末のディスプレイ画面に表示させる残高表示段階と、
前記表示された銀行口座の内から第１の銀行口座と第２の銀行口座を指定した情報を利用者端末から受取る口座指定段階と、
前記第１の銀行口座から第２の銀行口座に振込む金額の情報を利用者端末から受取る金額指定段階と、
前記第１の銀行口座を持つ銀行の端末に対して第２の銀行口座に前記指定した金額を振込むように指示する振込指示段階と
を備えたことを特徴とするインターネットバンキング支援方法。
【請求項６】
インターネットを介して、利用者の端末及び複数の銀行の端末に接続され、利用者の各銀行に対する預金の管理を支援するインターネットバンキング支援方法において、
利用者端末から取引を行う複数の銀行口座を指定する情報とこの複数の銀行口座毎の支出予定と収入予定に関する情報を受け入れる予定入力段階と、
利用者端末から指定された複数の銀行口座の現在預金残高を銀行端末に問合せる段階と、
各銀行端末から送信された前記銀行口座の現在預金残高と前記支出予定と収入予定に基づいて計算により求めた所定期間経過後の預金予想残高を銀行口座毎に並べて利用者端末のディスプレイ画面に表示させる残高表示段階と、
前記表示された銀行口座の内から第１の銀行口座と第２の銀行口座を指定した情報を利用者端末から受取る口座指定段階と、
前記第１の銀行口座から第２の銀行口座に振込む金額の情報を利用者端末から受取る金額指定段階と、
前記第１の銀行口座を持つ銀行の端末に対して第２の銀行口座に前記利用者が指定した金額を振込むように指示する振込指示段階と
を備えたことを特徴とするインターネットバンキング支援方法。
【請求項７】
前記口座指定段階は、
利用者端末に表示された銀行口座のディスプレイ画面上で第１の銀行口座のイメージを第２の銀行口座のイメージ上にマウスを用いて利用者にドラッグさせることで第１の銀行口座と第２の銀行口座とを指定するドラッグ指定段階を備えたことを特徴とする請求項５または６記載のインターネットバンキング支援方法。
【請求項８】
前記予定入力段階は、
支払われる予定の支出金額と支払予定日付に関する情報は支払予定先の端末からインターネットを介して入力される支払入力段階と、前記振込まれる予定の収入金額と振込予定日付に関する情報は振込予定先の端末からインターネットを介して入力される振込入力段階とを備えたものであることを特徴とする請求項６記載のインターネットバンキング支援方法。
【請求項９】
前記残高表示段階は、
前記現在預金残高と前記預金予想残高が所定の額よりも少ない又は不足している場合には利用者端末のディスプレイ画面に注意を喚起する表示を行わせる注意喚起段階を備えたことを特徴とする請求項６記載のインターネットバンキング支援方法。
【請求項１０】
インターネットを介して、利用者の端末及び複数の銀行の端末に接続され、利用者の各銀行に対する預金の管理を支援するインターネットバンキング支援方法において、
利用者端末から指定された複数の銀行における預金利率を含む銀行情報項目を銀行毎に並べて利用者端末のディスプレイ画面に表示する情報表示段階と、
利用者端末から指定された前記銀行情報項目の内から特定された銀行情報項目を受取る段階と、
この銀行情報項目毎に予め定められた順序に従って銀行毎の表示順を変えて利用者端末のディスプレイ画面に表示する表示順変更手段と
を備えたことを特徴とするインターネットバンキング支援方法。
【請求項１１】
インターネットを介して、利用者の端末及び複数の銀行の端末に接続され、利用者の各銀行に対する預金の管理を支援するインターネットバンキング支援方法において、
銀行口座を開設するための第１の情報をインターネットを介して利用者端末から受け入れる利用者情報受入段階と、
前記受け入れた第１の情報に前記利用者を識別する利用者識別コードを付加した第２の情報をインターネットを介して銀行に送り出す送出段階と、
銀行口座を開設するための第３の情報をインターネットを介して前記銀行から受け入れる銀行情報受入段階と、
前記受け入れた第３の情報を記載したカードを作成して利用者に送付させる指示を出力する指示段階と
を備えたことを特徴とするインターネットバンキング支援方法。
【発明の詳細な説明】
技術分野
この発明は、利用者が行うインターネットを用いた銀行預金管理の支援を行うインターネットバンキング支援方法に関する。
背景技術
家庭やオフィスといった金融機関以外の場所から銀行との間で取引や預金の管理を行うバンキングシステムが開発されている。
このシステムは、金融機関に出向くことなく取引が行える点に特徴を有しているが、この特徴を十分に生かしたバンキングシステムはいまだ開発中の状態である。
特開２０００−４０１１３号公報では金融取引端末で動作する取引情報入力プログラムを汎用化して金融機関毎の特徴を出す技術が開示されている。
この公報の発明は、利用できる機能及び画面の描画を金融機関毎に変更するため、利用者は日常慣れている操作画面と方法によって操作できる利点がある。しかし、資産の管理を行う技術に関する示唆はなされていない。
そこで、この発明は、遠隔で銀行との間の取引が特別な装置を必要とせずに実施でき、自らの資産を管理するための必要な情報を提供でき、更に操作が簡単に行えるインターネットバンキング支援方法を提供することを目的とする。
発明の開示
この発明のインターネットバンキング支援方法では、取引を行っている複数の銀行口座の現在残高と所定期間後の予想残高を並べて表示し、併せてその詳細情報も表示する。また、この他にも将来の支払予定計画表示において必要な警告を出すように構成する。
更に有利な資金運用のために、複数の銀行の情報を並べて比較できるように構成する。
また、銀行間の資金の移動操作はマウスを用いて簡単に実施できるように構成し、遠隔から口座開設が行える機能を有している。
発明を実施するための最良の形態
以下、この発明の実施の形態を図面を参照して説明する。
図１は、この発明の一実施形態に係るインターネットバンキング支援方法が適用されるネットワークシステムの構成を示している。図１に示すように本ネットワークシステムは、インターネット１に対して接続されている、サービス提供サーバ２（以下、サーバ２と称す）と、複数の銀行端末３と、取引者端末４と、利用者端末５とで構成されている。
ここで、サーバ２はインターネットバンキングサービスを提供するサービス提供業者の所有するコンピュータなどの情報処理端末である。
また、銀行端末３は本インターネットバンキングを取り扱う銀行の情報処理端末であり、取引者端末４は、本インターネットバンキングの利用者との間で銀行を介して金の授受を行っている取引者が所有する情報処理端末である。この取引者には、電力会社、ガス会社、証券会社及び保険会社等が含まれる。そして、利用者端末５は、本インターネットバンキングを利用して銀行との間で金に関する管理等を行おうとしている利用者が所有する情報処理端末である。
次に、このインターネットバンキングのサーバ２の具体的構成及び具体的動作を順次説明する。
図２は、サーバ２の概略構成を示すブロック図である。
このサーバ２内には、インターネット１上に自己が作成した各ホームページを公開するとともに、各端末３〜５上で操作入力された各情報を受信し、且つ各種情報交換を実施する通信インターフェース９が設けられている。
さらに、このサーバ２には、このインターネットバンキングの受付などの処理を行うホームページ表示部１０と、インターネットバンキングに新たに加入する利用者の登録サービスを行う新規加入部１１、利用者が銀行に預金している資金に関する残高照会などのサービスを行う資金管理部１２、利用者が銀行に預金している資金の振り込み等のサービスを行う資金移動部１３、銀行の利息や手数料等の情報を提供するサービスを行う情報照会部１４、銀行の金利等の情報を収集する銀行情報収集部１５、銀行口座を開設するためのサービスを行う口座開設部１６及びこれらのサービスを行うための各種データを記憶してあるバンキング用メモリ部１７が設けられている。
そして、資金管理部１２には、利用者が預金している銀行口座を登録する口座登録部１２ａ、今後の支払い予定等のスケジュールに従って銀行口座の資金の過不足を管理するカレンダ部１２ｂ、各銀行口座の取引照会情報を提供する資金照会部１２ｃ及び資金一覧照会部１２ｄが設けられている。
また、資金移動部１３には、利用者の銀行口座間の資金の移動を操作する振替部１３ａ、他人の銀行口座に利用者の資金を振り込む際にその他人の銀行口座情報を登録する振込先口座登録部１３ｂ及び銀行に対する振込み操作を行う振込部１３ｃが備えられている。
そして、情報照会部１４は、情報を得たい銀行名を登録する照会銀行登録部１４ａと登録されてある各銀行の情報を提供する情報照会部１４ｂが設けられている。
更に、バンキング用メモリ部１７内には、利用者の銀行口座に関するデータを格納した口座登録データメモリ１７ａ、資金の支払い予定などのデータを格納したカレンダーデータメモリ１７ｂ、他人の銀行口座に関するデータを格納した振込先口座登録データメモリ１７ｃ、情報を得たい銀行名等のデータを格納した照会銀行データメモリ１７ｄ及び各銀行の情報を格納した銀行情報メモリ１７ｅが設けられている。
図３は、インタネットバンキングに新しく加入する場合の利用者端末５とサーバ２との情報授受手順を示す概略のシーケンス図である。
先ず、サーバ２ではホームページ表示部１０が起動して、インターネットバンキングのホームページを作成して、インターネット上に公開する（Ｓ１）。
図４は、インターネットバンキングのホームページ２０を示す図である。
ホームページ２０には、既に加入している利用者がパスワードを入力するパスワード入力欄２１と未加入の利用者が操作する新規加入釦２２が設けられている。
利用者が新規加入釦２２をクリックする（Ｓ２）と、サーバ２では新規加入部１１が起動して図５に示す申込画面２３を表示する（Ｓ３）。利用者が申込欄２４に必要項目を入力して実行釦２５をクリックすると、申込内容がサーバ２に送られる（Ｓ４）。サーバ２では新規加入部１１が起動して申込内容をチェックし、記載不備の有無と重複登録の有無を確認する。チェック結果が正常の場合は、図６に示すパスワード連絡画面２６を利用者端末５に表示する（Ｓ５）。
利用者はパスワード欄２７に表示された内容を確認した後、ホームページ釦２８をクリックするとサーバ２のホームページ表示部１０が起動して、利用者端末５の画面にはホームページ２０が表示される。このホームページ２０のパスワード入力欄２１ａに先程取得したパスワードを入力して実行釦２１ｂをクリックするとそのパスワードがサーバ２に送られる。サーバ２のホームページ表示部１０はパスワードをチェックし、正しいパスワードであれば、利用者端末５に対して図７に示すコンテンツ画面３０を表示する。
コンテンツ画面３０には、インターネットバンキングシステムのサービス内容である、資金管理サービス３１、資金移動サービス３２、情報照会サービス３３及び口座開設サービス３４が表示されている。
そして、資金管理サービス３１には、口座登録釦３１ａ、カレンダ釦３１ｂ、資金照会釦３１ｃ及び資金一覧照会釦３１ｄが設けられている。
そして、資金移動サービス３２には、振替釦３２ａ、振込先口座登録釦３２ｂ及び振込釦３２ｃが設けられている。
また、情報照会サービス３３には、照会銀行登録釦３３ａと情報照会釦３３ｂが設けられ、口座開設サービス３４には口座開設釦３４ａが設けられている。
次に、以上のサービスの各機能の動作を説明する。
図８は、資金管理サービスの口座登録に関して利用者とサーバ２との情報授受手順を示す概略のシーケンス図である。
利用者がコンテンツ画面３０上で口座登録釦３１ａをクリックする（Ｓ１０）と、口座登録部１２ａが起動し図９に示す口座登録画面３４が表示される（Ｓ１１）。
口座登録画面３４の上欄３５には、現在実施中のサービスの名称［資金管理］が表示され、下欄３６には、現在実施中のサービスに属する機能の名称［口座登録］が表示される。そして、口座登録表３７には、既に登録されてある口座の情報である、名義人名、銀行名、支店名、科目、口座番号及び暗証番号等が表示されている。
利用者が新しい口座を追加する場合は、新規追加釦３８をクリックする。すると、口座登録入力欄４０に口座の情報を入力することが可能となる。ここで、口座の情報入力の内、［銀行名］と［支店名］と［科目］については各項目に対応したプルダウンメニュー（図示していない）を表示させてそれから選択させるように構成している。
各項目の情報を入力後、実行釦４１をクリックすると、新規追加情報がサーバ２に送られ（Ｓ１２）、口座登録部１２ａはこの情報を確認して、口座登録データメモリ１７ａに記憶する。
利用者が登録されてある口座を削除する場合は、口座登録画面３４において削除釦３９をクリックする。そして、削除したい口座の［ＮＯ．］をクリックすると、その口座の行が確認のために反転表示される。
続いて、実行釦４１をクリックすると、削除情報がサーバ２に送られ（Ｓ１３）、口座登録部１２ａは口座登録データメモリ１７ａからこの情報を削除する。
以上の操作後、終了釦４２をクリックすればホームページ表示部１０が起動してコンテンツ画面３０が表示される。
図１０は、資金管理サービスのカレンダに関して利用者とサーバ２と取引者との情報授受手順を示す概略のシーケンス図である。
利用者がコンテンツ画面３０上でカレンダ３１ｂをクリックする（Ｓ１５）と、カレンダ部１２ｂが起動して図１１に示すカレンダ画面４５が表示される（Ｓ１６）。
カレンダ画面４５に表示されるカレンダ４６には、その月の日付と共に支払い予定項目と振込予定項目が記入されている。ここで支払い予定項目は、電気代、ガス代、ローンの支払いなど銀行口座から支払う予定の内容であり、振込予定項目は、給与、預金の利子など銀行口座に振込まれる予定の内容を表わしている。
また、このカレンダ４６では、単に項目を表示するだけではなく、その支払いを行うことにより口座の残高が所定額以下となると予想される場合、あるいは口座の残高が不足する場合には表示色を例えば赤に変更して利用者に注意を与えるようにしている。
このカレンダ４６に支払い予定計画を入力する場合は、計画入力欄４７にある支払い予定釦４７ａをクリックする（Ｓ１７）と、図１２に示す支払予定入力画面５０が表示される（Ｓ１８）。
支払予定入力表５１には、既に入力済みの支払い予定の情報である項目名、銀行名、支店名、口座番号、金額、支払先及び識別番号等が表示されている。
利用者が新しい支払い予定を入力する場合は、新規追加釦５２をクリックする。すると、支払予定入力欄５４に登録するための情報を入力することが可能となる。利用者は、［項目名］にはカレンダに表示する名称を記入し、［銀行名］、［支店名］、［口座番号］にはそれぞれ、支払に使用する銀行名、支店名、口座番号を記入する。
ここで、入力する情報の内、［銀行名］と［支店名］については各項目に対応したプルダウンメニュー（図示していない）を表示させてそれから選択させるように構成している。
支払金額が確定していなければ、金額入力欄５５にある自動入力をチェックして選択し、項目［支払先］には確定した金額を問合せる連絡先を入力し、［識別番号］には支払先で利用者を識別するための番号を入力する。
金額が確定していれば、金額入力欄５５にある指定入力をチェックして選択し、支払年月日あるいは毎月の日、支払金額を入力する。
各項目の情報を入力後、実行釦５６をクリックすると、支払予定情報がサーバ２に送られ（Ｓ１９）、カレンダ部１２ｂはこの情報を確認して、カレンダデータメモリ１７ｂに記憶する。
カレンダ部１２ｂは支払金額が自動入力になっている場合には、入力された支払先である取引者端末４に対して識別番号を送信して支払予定の年月日と金額を問い合わせる（Ｓ２０）。
取引者端末４では、識別番号に基づいて請求予定年月日と請求予定金額を調べてその情報をサーバ２に送信する（Ｓ２１）。サーバ２のカレンダ部１２ｂではこの送信された情報を該当する利用者のカレンダデータメモリ１７ｂに記憶する。
尚、本実施例では請求予定金額等を支払先に問合せているが、これとは逆に、請求金額等の情報が確定した時点で支払予定先から利用者のパスワードを付加してその情報をサーバ２に入力するようにすることも可能である。
利用者が、カレンダ４６の振込予定計画を入力する場合は、計画入力欄４７にある振込予定釦４７ｂをクリックする（Ｓ２２）と、振込予定入力画面（図示していない）が表示される（Ｓ２３）。
この振込予定入力画面の構成は前記支払予定入力画面５０の構成と比較して、［銀行名］等には金が振込まれる銀行口座などを記入する点と、［振込先］には振込先の連絡先を記入する点が異なっているだけであり、その手順も前述の支払予定入力手順と同様（Ｓ２２〜Ｓ２６）であるため、その手順の説明は省略する。
以上の操作後、終了釦５７クリックすればカレンダ画面４５が表示され、更にその画面で終了釦４８をクリックすればホームページ表示部１０が起動してコンテンツ画面３０が表示される。
図１３は、資金管理サービスの資金照会に関して利用者端末５とサーバ２と銀行端末３との情報授受手順を示す概略のシーケンス図である。
利用者がコンテンツ画面３０上で資金照会３１ｃをクリックすると、その選択情報をサーバ２が受取り（Ｓ３０）、資金照会部１２ｃが起動して残高照会の処理を行う。
資金照会部１２ｃは口座登録データメモリ１７ａを検索して登録されている銀行情報を取出し、その各銀行に対して現在の残高照会を要求する（Ｓ３２）。
銀行から現在残高情報が入力されると（Ｓ３２）、資金照会部１２ｃはカレンダデータメモリ１７ｂを検索して該当した銀行口座の支払、振込計画を取出して、該当した銀行口座の月末残高予想金額を計算する。そして、これらの情報はカレンダデータメモリ１７ｂに記憶されると共に図１４に示す資金照会画面６０として利用者端末５に表示する（Ｓ３３）。
資金照会画面６０には、利用者が予め登録した銀行口座単位に、現在残高と月末予想残高が記載された残高表示欄６１が表示されている。この残高表示欄６１では、単に項目を表示するだけではなく、現在あるいは月末において口座の残高が所定額以下あるいは口座の残高が不足する場合には表示色を例えば赤に変更して利用者に注意を与えるようにしている。
次に利用者が各銀行口座の現在残高、月末残高予想についての詳細情報を知りたい場合は、該当した残高表示欄６１上にマウスポインタを移動して右クリックを行うと図１５に示すようにその銀行口座の詳細情報を表示するための選択欄６３が表示される。
利用者がこの選択欄６の［残高取引明細］をクリックすると（Ｓ３５）、資金照会部１２ｃは該当した銀行口座についての取引明細情報を送るようその銀行に対して要求する（Ｓ３６）。
銀行から取引明細情報が入力されると（Ｓ３７）、資金照会部１２ｃはこの情報をカレンダデータメモリ１７ｂに記憶すると共に図１６に示す取引明細照会画面６５として利用者端末５に表示する（Ｓ３８）。
この取引明細照会画面６５には、所定期間過去から現在までの取引内容が取引明細欄６６に表示されている。例えばカードを利用した場合にはカードの使用内容も併せて表示される。この取引明細欄６６の［差し引き残高］の最下欄に記載された数字が現在残高を表わしている。
利用者が資金照会画面６０で表示された選択欄６の［残高予想］をクリックすると（Ｓ４０）、資金照会部１２ｃはカレンダデータメモリ１７ｂを検索して該当した銀行口座の支払、振込計画を取出して、その計画に従った取引予想を計算して詳細な残高予想表を作成する。そして、これらの情報はカレンダデータメモリ１７ｂに記憶されると共に図１７に示す残高予想画面６８として利用者端末５に表示する（Ｓ４１）。
この残高予想画面６８には、所定期間将来においての取引予定内容が予想取引明細欄６９に表示されている。この予想取引明細欄６９の［差し引き残高］の最下欄に記載された数字が月末予想残高を表わしている。また、今後の取引予想において残高が所定金額以下または不足する場合には、利用者の注意を喚起するために例えば赤色に色替えをして表示する。
以上の操作後、［×］釦６７をクリックすれば、資金照会画面６０が表示され、その画面で終了釦６２をクリックすればホームページ表示部１０が起動してコンテンツ画面３０が表示される。
図１８は、資金管理サービスの資金一覧照会に関して利用者端末５とサーバ２と銀行端末３との情報授受手順を示す概略のシーケンス図である。
利用者がコンテンツ画面３０上で資金照会一覧３１ｄをクリックすると、その選択情報をサーバ２が受取り（Ｓ４５）、資金一覧照会部１１が起動して残高照会一覧の処理を行う。
資金一覧照会部１１は口座登録データメモリ１７ａを検索して登録されている銀行名等を取出し、該当した銀行口座についての取引明細情報を送るように各銀行に対して要求する（Ｓ４６）。
銀行から取引明細情報が入力されると（Ｓ４７）、サーバ２はこの情報をカレンダデータメモリ１７ｂに記憶すると共に、銀行情報メモリ１７ｅを検索して必要な情報を取出し、これらの情報を編集して、図１９に示す取引照会一覧画面７０として利用者端末５に表示する（Ｓ６９）。
この取引照会一覧画面７０には、所定期間過去から現在までの銀行口座毎の取引結果がその他の情報と共に一覧として取引一覧表示欄７１に表わされている。この表示項目の内、［預金額］、［借入額］、［今月引き去り］、［残高］は銀行からの取引明細情報から抽出し、［預金利率］、［借入利率］は銀行情報メモリ１７ｅから抽出して編集する。
尚、図示していないが、前述の資金照会と同様に取引一覧表示欄７１の銀行名の上にマウスポインタを移動して右クリックすることにより、取引明細照会画面６５と残高予想画面６８を表示することができる。
以上の操作の後、終了釦７２をクリックするとホームページ表示部１０が起動されコンテンツ画面３０が表示される。
図２０は、資金移動サービスの振替に関して利用者端末５とサーバ２と銀行端末３との情報授受手順を示す概略のシーケンス図である。
利用者がコンテンツ画面３０上で振替３２ａをクリックすると、その選択情報をサーバ２が受取り（Ｓ５０）、振替部１３ａが起動し口座登録データメモリ１７ａを検索して登録されている銀行名等を取出し、その各銀行に対して現在の残高照会を要求する（Ｓ５１）。
銀行から現在残高情報が入力されると（Ｓ５２）、振替部１３ａはカレンダデータメモリ１７ｂを検索して該当した銀行口座の支払、振込計画を取出して、該当した銀行口座の月末予想残高を計算する。そして、これらの情報はカレンダデータメモリ１７ｂに記憶されると共に図２１に示す振替画面７５として利用者端末５に表示する（Ｓ５３）。
振替画面７５には、利用者が予め登録した銀行口座単位で現在残高と月末予想残高が記載された残高表示欄７６が表示されている。この残高表示欄７６では、単に項目を表示するだけではなく、現在あるいは月末において口座の残高が所定額以下あるいは口座の残高が不足する場合には表示色を例えば赤に変更して利用者に注意を与えるようにしている。
この振替画面７５において、例えばＡ銀行の口座からＦ銀行の口座に資金を振替る場合は、Ａ銀行の残高表示欄７６の上にマウスポインタを移動してマウスの左釦を押したままドラッグしてＦ銀行の残高表示欄７６上に重ねてマウスの左釦を離す（以下ドラッグアンドドロップと称す）と振替情報がサーバ２に送られ（Ｓ５４）、振替部１３ａが起動して図２２に示す振替入力画面７７が表示される（Ｓ５５）。
尚、振替の操作方法には、前述のドラッグアンドドロップによる指定方法の他に、振替元と振替先を個別にマウスでクリックして指定する方法も可能である。この方法では、先ず最初にＡ銀行の残高表示欄７６の上にマウスポインタを移動してクリックすると、Ａ銀行の残高表示欄７６の色が変化して振替元が指定されたことが示される。続いて、Ｆ銀行の残高表示欄７６上にマウスポインタを移動してクリックすると、振替情報がサーバ２に送られ（Ｓ５４）、振替部１３ａが起動して図２２に示す振替入力画面７７が表示される（Ｓ５５）。
この振替入力画面７７では、振込元の口座情報と振込先の口座情報の内［月末残高予想］の代わりに［振替結果］が振替表示欄７８に表示されている。利用者がこの画面の金額入力欄７９に振替える金額を入力して確認釦８０をクリックすると、前記振替表示欄中７８の振替えた結果が［振替結果］に更新表示される。
利用者がこの内容を確認して実行釦８１をクリックすると、この振替え情報がサーバ２に送られる（Ｓ５６）。振替部１３ａでは送られた情報を編集して、該当した銀行端末３に対して振替え依頼を送信する（Ｓ５７）。
銀行から振替えた旨の報告がなされると（Ｓ５８）、振替部１３ａはその報告を利用者端末に転送して利用者に対して操作が行われた旨を通知する。
以上の操作が終了後、終了釦をクリックすることでホームページ表示部１０が起動してコンテンツ画面３０が表示される。
図２３は、資金移動サービスの振込先口座登録に関して利用者端末５とサーバ２との情報授受手順を示す概略のシーケンス図である。
利用者がコンテンツ画面３０において振込先口座登録３２ｂをクリックすると、その情報がサーバ２に送られて（Ｓ６１）、振込先口座登録部１３ｂが起動して図２４に示す振込先口座登録画面８５が表示される（Ｓ６２）。
この画面に表示される振込先口座登録表８６には、既に登録されてある口座の情報である、名義人名、銀行名、支店名、科目、口座番号及び目的が表示されている。
利用者が新しい口座を追加する場合は、新規追加釦８７をクリックする。すると、振込先口座登録入力欄８９に口座の情報を入力することが可能となる。ここで、入力する口座の情報の内、［銀行名］と［支店名］と［科目］については各項目に対応したプルダウンメニュー（図示していない）を表示させてそれから選択させるように構成している。また、
［目的］は振込画面９３において表示される内容である。
各項目の情報を入力後、実行釦９０をクリックすると、新規追加情報がサーバ２に送られ（Ｓ６３）、振込先口座登録部１３ｂはこの情報を確認して、振込先口座登録データメモリ１７ｃに記憶する。
利用者が登録されてある口座を削除する場合は、削除釦８８をクリックする。そして、削除したい口座の［ＮＯ．］をクリックすると、その口座の行が確認のために反転表示される。
続いて、実行釦９０をクリックすると、削除情報がサーバ２に送られ（Ｓ６４）、振込先口座登録部１３ｂは振込先口座登録データメモリ１７ｃからこの情報を削除する。
以上の操作後、終了釦９１をクリックすればホームページ表示部１０が起動してコンテンツ画面３０が表示される。
図２５は、資金移動サービスの振込に関して利用者端末５とサーバ２と銀行端末３との情報授受手順を示す概略のシーケンス図である。
利用者がコンテンツ画面３０上で振込３２ｃをクリックすると、その選択情報をサーバ２が受取り（Ｓ６５）、振込部１３ｃが起動して口座登録データメモリ１７ａを検索して登録されている銀行情報を取出し、その各銀行に対して現在の残高照会を要求する（Ｓ６６）。
銀行から現在残高情報が入力されると（Ｓ６７）、振込部１３ｃはカレンダデータメモリ１７ｂを検索して該当した銀行口座の支払、振込計画を取出して月末予想残高を計算する。
さらに、振込部１３ｃは振込先口座登録データメモリ１７ｃを検索して振込先の候補となる銀行口座の情報を取出し、これらの情報を図２６に示す振込画面９３として利用者端末５に表示する（Ｓ６８）。
振込画面９３には、利用者が予め登録した銀行口座単位で現在残高と月末予想残高が記載された残高表示欄９４と、利用者が予め登録した振込先銀行口座の情報が記載された振込先表示欄９５が表示されている。この残高表示欄９４では、単に項目を表示するだけではなく、現在あるいは月末において口座の残高が所定額以下あるいは口座の残高が不足する場合には表示色を例えば赤に変更して利用者に注意を与えるようにしている。
この振込画面９３において、例えばＡ銀行の口座からＹ銀行の口座に振込む場合は、Ａ銀行の残高表示欄９４をドラッグしてＹ銀行の振込先表示欄９５上にドロップするとその振込情報がサーバ２に送られ（Ｓ６９）、振込部１３ｃが起動してその情報に基づいて、図２７に示す振込入力画面９６が表示される（Ｓ７０）。
尚、この振込操作は、最初にＡ銀行の残高表示欄９４上でマウスをクリックすることで振込元を指定し、次にＹ銀行の振込先表示欄９５上でマウスをクリックして振込先を指定することでも実施することができる。
この振込入力画面９６では、振込元の口座情報と振込先の口座情報が振込表示欄９７に表示されている。利用者がこの画面の金額入力欄９８に振込む金額を入力して確認釦９９をクリックすると、前記振込表示欄９７中の振込結果の残高が［振込結果］として更新表示される。
利用者がこの内容を確認して実行釦１００をクリックすると、この振込情報がサーバ２に送られる（Ｓ７１）。振込部１３ｃでは振込に必要な情報を編集して、該当した銀行端末３に対して振込依頼を送信する（Ｓ７２）。
銀行から振込んだ旨の報告がなされると（Ｓ７３）、振込部１３ｃはその報告を利用者端末５に転送して利用者に対して操作が行われた旨を通知する。
以上の操作が終了後、終了釦をクリックすることでホームページ表示部１０が起動してコンテンツ画面３０が表示される。
図２８は、情報照会サービスの照会銀行登録に関して利用者端末５とサーバ２との情報授受手順を示す概略のシーケンス図である。
利用者がコンテンツ画面３０上で照会銀行登録３３ａをクリックすると、その選択情報をサーバ２が受取り（Ｓ７７）、照会銀行登録部１４ａが起動して図２９に示す照会銀行登録画面１０１を利用者端末５に表示させる（Ｓ７８）。
この画面に表示される照会銀行登録表１０２には、既に登録されてある銀行の名称が表示されている。
利用者が新しい銀行名を追加する場合は、新規追加釦１０３をクリックする。すると、銀行名登録入力欄１０５に銀行名を入力することが可能となる。ここで入力する［銀行名］についてはプルダウンメニュー（図示していない）を表示させてそれから選択させるように構成している。
銀行名を入力後、実行釦１０６をクリックすると、新規追加情報がサーバ２に送られ（Ｓ７９）、照会銀行登録１４ａはこの情報を確認して、照会銀行データメモリ１７ｄに記憶する。
利用者が登録されてある銀行名を削除する場合は、削除釦１０４をクリックして、削除したい口座の［ＮＯ．］をクリックすると、その口座の行が確認のために反転表示される。
続いて、実行釦１０６をクリックすると、削除情報がサーバ２に送られ（Ｓ８０）、照会銀行登録１４ａは照会銀行データメモリ１７ｄからこの情報を削除する。
以上の操作後、終了釦１０７をクリックすればホームページ表示部１０が起動してコンテンツ画面３０が表示される。
図３０は、情報照会サービスの情報照会に関して利用者端末５とサーバ２と銀行端末３との情報授受手順を示す概略のシーケンス図である。
利用者がコンテンツ画面３０上で情報照会３３ｂをクリックすると、その選択情報をサーバ２が受取り（Ｓ８３）情報照会部１４ｂが起動する。情報照会部１４ｂは照会銀行データメモリ１７ｄを検索して照会する銀行名を抽出し、次にその銀行名をキー項目として銀行情報メモリ１７ｅを検索して該当する各銀行の情報を取出して編集し、図３１に示す情報照会画面１１０を利用者端末５に表示する（Ｓ８４）。
情報照会画面１１０には、照会情報表１１１が表示され、この照会情報表１１１には、各銀行の利率などの金融情報が一覧として表わされている。
ここで、この照会情報表１１１のいずれかの項目、例えば［定期預金利率］をクリックするとその項目毎に予め定められている順序で並び替えが行われる。この項目の場合は利率の高い順に並び替えられるため、有利な銀行を直ちに把握することができる。
そして、この照会情報表１１１に表示される項目は利用者が任意に選択して編集することが可能である。
尚、各銀行の情報を収集する動作は前記の情報照会がなされたタイミングで行うのではなく、サーバ２が別個に取り決めたタイミングで銀行情報収集部１５が起動し各銀行に対して情報を問い合わせる（Ｓ８５）。各銀行からの情報が入力されると（Ｓ８６）、銀行情報収集部１５はその情報を銀行情報メモリ１７ｅに記憶して、他のサービスが任意の時点で参照できるようになっている。
以上の操作の後、終了釦１１２をクリックするとホームページ表示部１０が起動してコンテンツ画面３０が表示される。
図３２は、口座開設サービスの口座開設に関して利用者端末５とサーバ２と銀行端末３との情報授受手順を示す概略のシーケンス図である。
利用者がコンテンツ画面３０上で口座開設３４ａをクリックすると、その選択情報をサーバ２が受取り（Ｓ８８）、口座開設部１６が起動し図３３に示す口座開設画面１１５を表示する（Ｓ８９）。
利用者は、口座開設入力欄１１６に口座を開設するための情報である銀行名等と利用者の住所等を入力して実行釦１１７をクリックすると口座開設情報がサーバ２に送られる（Ｓ９０）。
口座開設部１６は、口座開設を希望する銀行の銀行端末３に対して口座開設依頼を送り出す（Ｓ９１）。銀行ではこの依頼に基づいて口座を開設し、その結果をサーバ２に送信して報告する（Ｓ９２）。口座開設部１６は送られてきた報告書を利用者端末に転送して口座開設が行われた旨を通知する（Ｓ９３）。
ここで、口座開設後において、例えば利用者がその銀行の窓口で自らが開設された口座の名義人であることを立証する必要が生ずる場合がある。従来においては、口座開設は銀行窓口で行うため通帳、カードなどを受領しそれに基づいて証明することができるが、インターネットバンキングにおいては受領する方法が問題となる。郵送などにより受領できれば良いが、銀行によってはそのような受け渡しを行わないケースが有り得るからである。
このような場合には、サービス提供業者は利用者を特定するためのユニークな識別コードを設定することで上記問題を解決する。
サーバ２の口座開設部１６は上記設定された識別コードを銀行に送信する（Ｓ９４）。銀行ではこの識別コードと口座開設に関する情報を包含したカード情報をサーバ２に返送する（Ｓ９５）。口座開設部１６は本インターネットバンキングのサービス提供業者に対して、返送されたカード情報を記載したカードを作成して利用者に郵送せしむるように指示を出す（Ｓ９６）。
以上のようにして、利用者はサービス提供業者から送られるカードを提示して銀行の窓口などにおいて名義人本人であることを主張して通帳などを受領することができる。
尚、サービス提供業者で設定した識別コードと金融機関からのパスワードを用いて本人を特定する方式は銀行との取引に限定されるものではない。証券会社、保険会社、デパート等カードを媒体として使用する業界全てに適用することが可能である。
また、インターネットでショッピングを行う際に使用するクレジットカードの番号の代わりに、この識別コードとパスワードを用いても取引できるようにすることで、金融機関等に出向くことなくインターネットを用いた取引を行うことも可能である。
産業上の利用可能性
以上説明したようにこの発明は、インターネットを利用したサービス事業を実現するビジネスの分野、このサービス事業に用いられる情報記憶媒体を製造、使用する分野、この情報記憶媒体を記憶再生可能な装置の技術分野に有効である。
【図面の簡単な説明】
図１はこの発明の位置実施形態に係るインターネットバンキング支援方法が適用されるネットワークシステムの構成を示す説明図。
図２はサーバ２の概略構成を示すブロック図。
図３はインタネットバンキングに新しく加入する場合の利用端末とサーバとの情報授受手順を示す概略のシーケンス図。
図４はインターネットバンキングのホームページを示す図。
図５はインタネットバンキングに新しく加入する場合に利用者が入力する申込画面を示す図。
図６はインターネットバンキングのパスワード連絡画面を示す図。
図７はインターネットバンキングのコンテンツ画面を示す図。
図８は資金管理サービスの口座登録に関して利用者端末とサーバとの情報授受手順を示す概略のシーケンス図。
図９はインターネットバンキングの口座登録画面を示す図。
図１０は資金管理サービスのカレンダに関して利用者端末とサーバと取引者端末との情報授受手順を示す概略のシーケンス図。
図１１はインターネットバンキングのカレンダ画面を示す図。
図１２はインターネットバンキングの支払入力予定画面を示す図。
図１３は資金管理サービスの資金照会に関して利用者端末とサーバと銀行端末との情報授受手順を示す概略のシーケンス図。
図１４はインターネットバンキングの資金照会画面を示す図。
図１５はインターネットバンキングの資金照会画面を示す図。
図１６はインターネットバンキングの取引明細照会画面を示す図。
図１７はインターネットバンキングの残高予想画面を示す図。
図１８は資金管理サービスの資金一覧照会に関して利用者端末とサーバと銀行端末との情報授受手順を示す概略のシーケンス図
図１９はインターネットバンキングの取引照会一覧画面を示す図。
図２０は資金移動サービスの振替に関して利用者端末とサーバと銀行端末との情報授受手順を示す概略のシーケンス図。
図２１はインターネットバンキングの振替画面を示す図。
図２２はインターネットバンキングの振替入力画面を示す図。
図２３は資金移動サービスの振込先口座登録に関して利用者端末とサーバとの情報授受手順を示す概略のシーケンス図。
図２４はインターネットバンキングの振替先口座登録画面を示す図。
図２５は資金移動サービスの振込に関して利用者端末とサーバと銀行端末との情報授受手順を示す概略のシーケンス図。
図２６はインターネットバンキングの振込画面を示す図。
図２７はインターネットバンキングの振込入力画面を示す図。
図２８は情報照会サービスの照会銀行登録に関して利用者端末とサーバとの情報授受手順を示す概略のシーケンス図
図２９はインターネットバンキングの照会銀行登録画面を示す図。
図３０は情報照会サービスの情報照会に関して利用者端末とサーバと銀行端末との情報授受手順を示す概略のシーケンス図。
図３１はインターネットバンキングの情報照会画面を示す図。
図３２は口座開設サービスの口座開設に関して利用者端末とサーバと銀行端末との情報授受手順を示す概略のシーケンス図。
図３３はインターネットバンキングの口座開設画面を示す図。
【図１】
2002027576.tif 000003
【図２】
2002027576.tif 000004
【図３】
2002027576.tif 000005
【図４】
2002027576.tif 000006
【図５】
2002027576.tif 000007
【図６】
2002027576.tif 000008
【図７】
2002027576.tif 000009
【図８】
2002027576.tif 000010
【図９】
2002027576.tif 000011
【図１０】
2002027576.tif 000012
【図１１】
2002027576.tif 000013
【図１２】
2002027576.tif 000014
【図１３】
2002027576.tif 000015
【図１４】
2002027576.tif 000016
【図１５】
2002027576.tif 000017
【図１６】
2002027576.tif 000018
【図１７】
2002027576.tif 000019
【図１８】
2002027576.tif 000020
【図１９】
2002027576.tif 000021
【図２０】
2002027576.tif 000022
【図２１】
2002027576.tif 000023
【図２２】
2002027576.tif 000024
【図２３】
2002027576.tif 000025
【図２４】
2002027576.tif 000026
【図２５】
2002027576.tif 000027
【図２６】
2002027576.tif 000028
【図２７】
2002027576.tif 000029
【図２８】
2002027576.tif 000030
【図２９】
2002027576.tif 000031
【図３０】
2002027576.tif 000032
【図３１】
2002027576.tif 000033
【図３２】
2002027576.tif 000034
【図３３】
2002027576.tif 000035
【手続補正書】
【提出日】平成16年8月30日(2004.8.30)
【手続補正１】
【補正対象書類名】明細書
【補正対象項目名】全文
【補正方法】変更
【補正の内容】
【書類名】          明細書
【特許請求の範囲】
【請求項１】  インターネットを介して、利用者端末および複数の銀行端末に接続され、利用者の各銀行に対する預金の管理を支援するインターネットバンキング支援装置において、
記憶手段に記憶されている支出予定情報と収入予定情報とに基づいて、カレンダー上のそれぞれの日付に対応して支出予定項目と収入予定項目とを利用者端末のディスプレイ画面に表示させるカレンダー表示手段と、
利用者端末から指定された複数の銀行口座について現在預金残高を複数の銀行端末からインターネットを介して取得し、取得した現在の預金残高を銀行口座毎に並べて利用者端末のディスプレイ画面に表示させる残高表示手段と、
前記表示された銀行口座の内から第１の銀行口座と第２の銀行口座を指定した情報をインターネットを介して利用者端末から受取る口座指定手段と、
前記第１の銀行口座から第２の銀行口座に振込む金額の情報をインターネットを介して利用者端末から受取る金額指定手段と、
前記第１の銀行口座を有する銀行の銀行端末に対して、前記第１の銀行口座から前記第２の銀行口座に前記指定された金額を振込むように指示する情報を送信する振込指示手段と、
を備えたことを特徴とするインターネットバンキング支援装置。
【請求項２】  前記残高表示手段は、
前記各銀行端末から取得した前記銀行口座の現在預金残高、支出予定情報および収入予定情報に基づいて算出した月末の預金予想残高を、前記銀行口座毎に並べて前記利用者端末のディスプレイ画面に表示させる機能を有することを特徴とする請求項１に記載のインターネットバンキング支援装置。
【請求項３】  前記カレンダー表示手段は、
支払いを行なうことにより預金残高が所定額以下になる場合または預金残高が不足する場合に前記カレンダーについて注意を喚起する表示を行なうことを特徴とする請求項１に記載のインターネットバンキング支援装置。
【発明の詳細な説明】
【０００１】
【発明の属する技術分野】
本発明は、この発明は、利用者が行うインターネットを用いた銀行預金管理の支援を行うインタ−ネットバンキング支援装置に関する。
【０００２】
【従来の技術】
家庭やオフィスといった金融機関以外の場所から銀行との間で取引や預金の管理を行うバンキングシステムが開発されている。
【０００３】
このシステムは、金融機関に出向くことなく取引が行える点に特徴を有しているが、この特徴を十分に生かしたバンキングシステムはいまだ開発中の状態である。
【０００４】
特開２０００−４０１１３号公報では金融取引端末で動作する取引情報入力プログラムを汎用化して金融機関毎の特徴を出す技術が開示されている。
【０００５】
【発明が解決しようとする課題】
この公報の発明は、利用できる機能及び画面の描画を金融機関毎に変更するため、利用者は日常慣れている操作画面と方法によって操作できる利点がある。しかし、資産の管理を行う技術に関する示唆はなされていない。
【０００６】
そこで、この発明は、遠隔で銀行との間の取引が特別な装置を必要とせずに実施でき、自らの資産を管理するための必要な情報を提供でき、更に操作が簡単に行えるインターネットバンキング支援装置を提供することを目的とする。
【０００７】
【課題を解決するための手段】
この発明のインターネットバンキング支援装置では、取引を行っている複数の銀行口座の現在残高と所定期間後の予想残高を並べて表示し、併せてその詳細情報も表示する。また、この他にも将来の支払予定計画表示において必要な警告を出すように構成する。
【０００８】
更に有利な資金運用のために、複数の銀行の情報を並べて比較できるように構成する。
【０００９】
また、銀行間の資金の移動操作はマウスを用いて簡単に実施できるように構成し、遠隔から口座開設が行える機能を有している。
【００１０】
【発明の実施の形態】
以下、この発明の実施の形態を図面を参照して説明する。
【００１１】
図１は、この発明の一実施形態に係るインターネットバンキング支援装置が適用されるネットワークシステムの構成を示している。図１に示すように本ネットワークシステムは、インターネット１に対して接続されている、サービス提供サーバ２（以下、サーバ２と称す）と、複数の銀行端末３と、取引者端末４と、利用者端末５とで構成されている。
【００１２】
ここで、サーバ２はインターネットバンキングサービスを提供するサービス提供業者の所有するコンピュータなどの情報処理端末である。
【００１３】
また、銀行端末３は本インターネットバンキングを取り扱う銀行の情報処理端末であり、取引者端末４は、本インターネットバンキングの利用者との間で銀行を介して金の授受を行っている取引者が所有する情報処理端末である。この取引者には、電力会社、ガス会社、証券会社及び保険会社等が含まれる。そして、利用者端末５は、本インターネットバンキングを利用して銀行との間で金に関する管理等を行おうとしている利用者が所有する情報処理端末である。
【００１４】
次に、このインターネットバンキングのサーバ２の具体的構成及び具体的動作を順次説明する。
【００１５】
図２は、サーバ２の概略構成を示すブロック図である。
【００１６】
このサーバ２内には、インターネット１上に自己が作成した各ホームページを公開するとともに、各端末３〜５上で操作入力された各情報を受信し、且つ各種情報交換を実施する通信インターフェース９が設けられている。
【００１７】
さらに、このサーバ２には、このインターネットバンキングの受付などの処理を行うホームページ表示部１０と、インターネットバンキングに新たに加入する利用者の登録サービスを行う新規加入部１１、利用者が銀行に預金している資金に関する残高照会などのサービスを行う資金管理部１２、利用者が銀行に預金している資金の振り込み等のサービスを行う資金移動部１３、銀行の利息や手数料等の情報を提供するサービスを行う情報照会部１４、銀行の金利等の情報を収集する銀行情報収集部１５、銀行口座を開設するためのサービスを行う口座開設部１６及びこれらのサービスを行うための各種データを記憶してあるバンキング用メモリ部１７が設けられている。
【００１８】
そして、資金管理部１２には、利用者が預金している銀行口座を登録する口座登録部１２ａ、今後の支払い予定等のスケジュールに従って銀行口座の資金の過不足を管理するカレンダ部１２ｂ、各銀行口座の取引照会情報を提供する資金照会部１２ｃ及び資金一覧照会部１２ｄが設けられている。
【００１９】
また、資金移動部１３には、利用者の銀行口座間の資金の移動を操作する振替部１３ａ、他人の銀行口座に利用者の資金を振り込む際にその他人の銀行口座情報を登録する振込先口座登録部１３ｂ及び銀行に対する振込み操作を行う振込部１３ｃが備えられている。
【００２０】
そして、情報照会部１４は、情報を得たい銀行名を登録する照会銀行登録部１４ａと登録されてある各銀行の情報を提供する情報照会部１４ｂが設けられている。
【００２１】
更に、バンキング用メモリ部１７内には、利用者の銀行口座に関するデータを格納した口座登録データメモリ１７ａ、
資金の支払い予定などのデータを格納したカレンダーデータメモリ１７ｂ、他人の銀行口座に関するデータを格納した振込先口座登録データメモリ１７ｃ、情報を得たい銀行名等のデータを格納した照会銀行データメモリ１７ｄ及び各銀行の情報を格納した銀行情報メモリ１７ｅが設けられている。
【００２２】
図３は、インタネットバンキングに新しく加入する場合の利用者端末５とサーバ２との情報授受手順を示す概略のシーケンス図である。
【００２３】
先ず、サーバ２ではホームページ表示部１０が起動して、インターネットバンキングのホームページを作成して、インターネット上に公開する（Ｓ１）。
【００２４】
図４は、インターネットバンキングのホームページ２０を示す図である。
【００２５】
ホームページ２０には、既に加入している利用者がパスワードを入力するパスワード入力欄２１と未加入の利用者が操作する新規加入釦２２が設けられている。
【００２６】
利用者が新規加入釦２２をクリックする（Ｓ２）と、サーバ２では新規加入部１１が起動して図５に示す申込画面２３を表示する（Ｓ３）。利用者が申込欄２４に必要項目を入力して実行釦２５をクリックすると、申込内容がサーバ２に送られる（Ｓ４）。サーバ２では新規加入部１１が起動して申込内容をチェックし、記載不備の有無と重複登録の有無を確認する。チェック結果が正常の場合は、図６に示すパスワード連絡画面２６を利用者端末５に表示する（Ｓ５）。
【００２７】
利用者はパスワード欄２７に表示された内容を確認した後、ホームページ釦２８をクリックするとサーバ２のホームページ表示部１０が起動して、利用者端末５の画面にはホームページ２０が表示される。このホームページ２０のパスワード入力欄２１ａに先程取得したパスワードを入力して実行釦２１ｂをクリックするとそのパスワードがサーバ２に送られる。サーバ２のホームページ表示部１０はパスワードをチェックし、正しいパスワードであれば、利用者端末５に対して図７に示すコンテンツ画面３０を表示する。
【００２８】
コンテンツ画面３０には、インターネットバンキングシステムのサービス内容である、資金管理サービス３１、資金移動サービス３２、情報照会サービス３３及び口座開設サービス３４が表示されている。
【００２９】
そして、資金管理サービス３１には、口座登録釦３１ａ、カレンダ釦３１ｂ、資金照会釦３１ｃ及び資金一覧照会釦３１ｄが設けられている。
【００３０】
そして、資金移動サービス３２には、振替釦３２ａ、振込先口座登録釦３２ｂ及び振込釦３２ｃが設けられている。
【００３１】
また、情報照会サービス３３には、照会銀行登録釦３３ａと情報照会釦３３ｂが設けられ、口座開設サービス３４には口座開設釦３４ａが設けられている。
【００３２】
次に、以上のサービスの各機能の動作を説明する。
【００３３】
図８は、資金管理サービスの口座登録に関して利用者とサーバ２との情報授受手順を示す概略のシーケンス図である。
【００３４】
利用者がコンテンツ画面３０上で口座登録釦３１ａをクリックする（Ｓ１０）と、口座登録部１２ａが起動し図９に示す口座登録画面３４が表示される（Ｓ１１）。
【００３５】
口座登録画面３４の上欄３５には、現在実施中のサービスの名称［資金管理］が表示され、下欄３６には、現在実施中のサービスに属する機能の名称［口座登録］が表示される。そして、口座登録表３７には、既に登録されてある口座の情報である、名義人名、銀行名、支店名、科目、口座番号及び暗証番号等が表示されている。
【００３６】
利用者が新しい口座を追加する場合は、新規追加釦３８をクリックする。すると、口座登録入力欄４０に口座の情報を入力することが可能となる。ここで、口座の情報入力の内、［銀行名］と［支店名］と［科目］については各項目に対応したプルダウンメニュー（図示していない）を表示させてそれから選択させるように構成している。
【００３７】
各項目の情報を入力後、実行釦４１をクリックすると、新規追加情報がサーバ２に送られ（Ｓ１２）、口座登録部１２ａはこの情報を確認して、口座登録データメモリ１７ａに記憶する。
【００３８】
利用者が登録されてある口座を削除する場合は、口座登録画面３４において削除釦３９をクリックする。そして、削除したい口座の［ＮＯ．］をクリックすると、その口座の行が確認のために反転表示される。
【００３９】
続いて、実行釦４１をクリックすると、削除情報がサーバ２に送られ（Ｓ１３）、口座登録部１２ａは口座登録データメモリ１７ａからこの情報を削除する。
【００４０】
以上の操作後、終了釦４２をクリックすればホームページ表示部１０が起動してコンテンツ画面３０が表示される。
【００４１】
図１０は、資金管理サービスのカレンダに関して利用者とサーバ２と取引者との情報授受手順を示す概略のシーケンス図である。
【００４２】
利用者がコンテンツ画面３０上でカレンダ３１ｂをクリックする（Ｓ１５）と、カレンダ部１２ｂが起動して図１１に示すカレンダ画面４５が表示される（Ｓ１６）。
【００４３】
カレンダ画面４５に表示されるカレンダ４６には、その月の日付と共に支払い予定項目と振込予定項目が記入されている。ここで支払い予定項目は、電気代、ガス代、ローンの支払いなど銀行口座から支払う予定の内容であり、振込予定項目は、給与、預金の利子など銀行口座に振込まれる予定の内容を表わしている。
【００４４】
また、このカレンダ４６では、単に項目を表示するだけではなく、その支払いを行うことにより口座の残高が所定額以下となると予想される場合、あるいは口座の残高が不足する場合には表示色を例えば赤に変更して利用者に注意を与えるようにしている。
【００４５】
このカレンダ４６に支払い予定計画を入力する場合は、計画入力欄４７にある支払い予定釦４７ａをクリックする（Ｓ１７）と、図１２に示す支払予定入力画面５０が表示される（Ｓ１８）。
【００４６】
支払予定入力表５１には、既に入力済みの支払い予定の情報である項目名、銀行名、支店名、口座番号、金額、支払先及び識別番号等が表示されている。
【００４７】
利用者が新しい支払い予定を入力する場合は、新規追加釦５２をクリックする。すると、支払予定入力欄５４に登録するための情報を入力することが可能となる。利用者は、［項目名］にはカレンダに表示する名称を記入し、［銀行名］、［支店名］、［口座番号］にはそれぞれ、支払に使用する銀行名、支店名、口座番号を記入する。
【００４８】
ここで、入力する情報の内、［銀行名］と［支店名］については各項目に対応したプルダウンメニュー（図示していない）を表示させてそれから選択させるように構成している。
【００４９】
支払金額が確定していなければ、金額入力欄５５にある自動入力をチェックして選択し、項目［支払先］には確定した金額を問合せる連絡先を入力し、［識別番号］には支払先で利用者を識別するための番号を入力する。
【００５０】
金額が確定していれば、金額入力欄５５にある指定入力をチェックして選択し、支払年月日あるいは毎月の日、支払金額を入力する。
【００５１】
各項目の情報を入力後、実行釦５６をクリックすると、支払予定情報がサーバ２に送られ（Ｓ１９）、カレンダ部１２ｂはこの情報を確認して、カレンダデータメモリ１７ｂに記憶する。
【００５２】
カレンダ部１２ｂは支払金額が自動入力になっている場合には、入力された支払先である取引者端末４に対して識別番号を送信して支払予定の年月日と金額を問い合わせる（Ｓ２０）。
【００５３】
取引者端末４では、識別番号に基づいて請求予定年月日と請求予定金額を調べてその情報をサーバ２に送信する（Ｓ２１）。サーバ２のカレンダ部１２ｂではこの送信された情報を該当する利用者のカレンダデータメモリ１７ｂに記憶する。
【００５４】
尚、本実施例では請求予定金額等を支払先に問合せているが、これとは逆に、請求金額等の情報が確定した時点で支払予定先から利用者のパスワードを付加してその情報をサーバ２に入力するようにすることも可能である。
【００５５】
利用者が、カレンダ４６の振込予定計画を入力する場合は、計画入力欄４７にある振込予定釦４７ｂをクリックする（Ｓ２２）と、振込予定入力画面（図示していない）が表示される（Ｓ２３）。
【００５６】
この振込予定入力画面の構成は前記支払予定入力画面５０の構成と比較して、［銀行名］等には金が振込まれる銀行口座などを記入する点と、［振込先］には振込先の連絡先を記入する点が異なっているだけであり、その手順も前述の支払予定入力手順と同様（Ｓ２２〜Ｓ２６）であるため、その手順の説明は省略する。
【００５７】
以上の操作後、終了釦５７クリックすればカレンダ画面４５が表示され、更にその画面で終了釦４８をクリックすればホームページ表示部１０が起動してコンテンツ画面３０が表示される。
【００５８】
図１３は、資金管理サービスの資金照会に関して利用者端末５とサーバ２と銀行端末３との情報授受手順を示す概略のシーケンス図である。
【００５９】
利用者がコンテンツ画面３０上で資金照会３１ｃをクリックすると、その選択情報をサーバ２が受取り（Ｓ３０）、資金照会部１２ｃが起動して残高照会の処理を行う。
【００６０】
資金照会部１２ｃは口座登録データメモリ１７ａを検索して登録されている銀行情報を取出し、その各銀行に対して現在の残高照会を要求する（Ｓ３２）。
【００６１】
銀行から現在残高情報が入力されると（Ｓ３２）、資金照会部１２ｃはカレンダデータメモリ１７ｂを検索して該当した銀行口座の支払、振込計画を取出して、該当した銀行口座の月末残高予想金額を計算する。そして、これらの情報はカレンダデータメモリ１７ｂに記憶されると共に図１４に示す資金照会画面６０として利用者端末５に表示する（Ｓ３３）。
【００６２】
資金照会画面６０には、利用者が予め登録した銀行口座単位に、現在残高と月末予想残高が記載された残高表示欄６１が表示されている。この残高表示欄６１では、単に項目を表示するだけではなく、現在あるいは月末において口座の残高が所定額以下あるいは口座の残高が不足する場合には表示色を例えば赤に変更して利用者に注意を与えるようにしている。
【００６３】
次に利用者が各銀行口座の現在残高、月末残高予想についての詳細情報を知りたい場合は、該当した残高表示欄６１上にマウスポインタを移動して右クリックを行うと図１５に示すようにその銀行口座の詳細情報を表示するための選択欄６３が表示される。
【００６４】
利用者がこの選択欄６の［残高取引明細］をクリックすると（Ｓ３５）、資金照会部１２ｃは該当した銀行口座についての取引明細情報を送るようその銀行に対して要求する（Ｓ３６）。
【００６５】
銀行から取引明細情報が入力されると（Ｓ３７）、資金照会部１２ｃはこの情報をカレンダデータメモリ１７ｂに記憶すると共に図１６に示す取引明細照会画面６５として利用者端末５に表示する（Ｓ３８）。
【００６６】
この取引明細照会画面６５には、所定期間過去から現在までの取引内容が取引明細欄６６に表示されている。例えばカードを利用した場合にはカードの使用内容も併せて表示される。この取引明細欄６６の［差し引き残高］の最下欄に記載された数字が現在残高を表わしている。
【００６７】
利用者が資金照会画面６０で表示された選択欄６の［残高予想］をクリックすると（Ｓ４０）、資金照会部１２ｃはカレンダデータメモリ１７ｂを検索して該当した銀行口座の支払、振込計画を取出して、その計画に従った取引予想を計算して詳細な残高予想表を作成する。そして、これらの情報はカレンダデータメモリ１７ｂに記憶されると共に図１７に示す残高予想画面６８として利用者端末５に表示する（Ｓ４１）。
【００６８】
この残高予想画面６８には、所定期間将来においての取引予定内容が予想取引明細欄６９に表示されている。この予想取引明細欄６９の［差し引き残高］の最下欄に記載された数字が月末予想残高を表わしている。また、今後の取引予想において残高が所定金額以下または不足する場合には、利用者の注意を喚起するために例えば赤色に色替えをして表示する。
【００６９】
以上の操作後、［×］釦６７をクリックすれば、資金照会画面６０が表示され、その画面で終了釦６２をクリックすればホームページ表示部１０が起動してコンテンツ画面３０が表示される。
【００７０】
図１８は、資金管理サービスの資金一覧照会に関して利用者端末５とサーバ２と銀行端末３との情報授受手順を示す概略のシーケンス図である。
【００７１】
利用者がコンテンツ画面３０上で資金照会一覧３１ｄをクリックすると、その選択情報をサーバ２が受取り（Ｓ４５）、資金一覧照会部１１が起動して残高照会一覧の処理を行う。
【００７２】
資金一覧照会部１１は口座登録データメモリ１７ａを検索して登録されている銀行名等を取出し、該当した銀行口座についての取引明細情報を送るように各銀行に対して要求する（Ｓ４６）。
【００７３】
銀行から取引明細情報が入力されると（Ｓ４７）、サーバ２はこの情報をカレンダデータメモリ１７ｂに記憶すると共に、銀行情報メモリ１７ｅを検索して必要な情報を取出し、これらの情報を編集して、図１９に示す取引照会一覧画面７０として利用者端末５に表示する（Ｓ６９）。
【００７４】
この取引照会一覧画面７０には、所定期間過去から現在までの銀行口座毎の取引結果がその他の情報と共に一覧として取引一覧表示欄７１に表わされている。この表示項目の内、［預金額］、［借入額］、［今月引き去り］、［残高］は銀行からの取引明細情報から抽出し、［預金利率］、［借入利率］は銀行情報メモリ１７ｅから抽出して編集する。
【００７５】
尚、図示していないが、前述の資金照会と同様に取引一覧表示欄７１の銀行名の上にマウスポインタを移動して右クリックすることにより、取引明細照会画面６５と残高予想画面６８を表示することができる。
【００７６】
以上の操作の後、終了釦７２をクリックするとホームページ表示部１０が起動されコンテンツ画面３０が表示される。
【００７７】
図２０は、資金移動サービスの振替に関して利用者端末５とサーバ２と銀行端末３との情報授受手順を示す概略のシーケンス図である。
【００７８】
利用者がコンテンツ画面３０上で振替３２ａをクリックすると、その選択情報をサーバ２が受取り（Ｓ５０）、振替部１３ａが起動し口座登録データメモリ１７ａを検索して登録されている銀行名等を取出し、その各銀行に対して現在の残高照会を要求する（Ｓ５１）。
【００７９】
銀行から現在残高情報が入力されると（Ｓ５２）、振替部１３ａはカレンダデータメモリ１７ｂを検索して該当した銀行口座の支払、振込計画を取出して、該当した銀行口座の月末予想残高を計算する。そして、これらの情報はカレンダデータメモリ１７ｂに記憶されると共に図２１に示す振替画面７５として利用者端末５に表示する（Ｓ５３）。
【００８０】
振替画面７５には、利用者が予め登録した銀行口座単位で現在残高と月末予想残高が記載された残高表示欄７６が表示されている。この残高表示欄７６では、単に項目を表示するだけではなく、現在あるいは月末において口座の残高が所定額以下あるいは口座の残高が不足する場合には表示色を例えば赤に変更して利用者に注意を与えるようにしている。
【００８１】
この振替画面７５において、例えばＡ銀行の口座からＦ銀行の口座に資金を振替る場合は、Ａ銀行の残高表示欄７６の上にマウスポインタを移動してマウスの左釦を押したままドラッグしてＦ銀行の残高表示欄７６上に重ねてマウスの左釦を離す（以下ドラッグアンドドロップと称す）と振替情報がサーバ２に送られ（Ｓ５４）、振替部１３ａが起動して図２２に示す振替入力画面７７が表示される（Ｓ５５）。
【００８２】
尚、振替の操作方法には、前述のドラッグアンドドロップによる指定方法の他に、振替元と振替先を個別にマウスでクリックして指定する方法も可能である。この方法では、先ず最初にＡ銀行の残高表示欄７６の上にマウスポインタを移動してクリックすると、Ａ銀行の残高表示欄７６の色が変化して振替元が指定されたことが示される。続いて、Ｆ銀行の残高表示欄７６上にマウスポインタを移動してクリックすると、
振替情報がサーバ２に送られ（Ｓ５４）、振替部１３ａが起動して図２２に示す振替入力画面７７が表示される（Ｓ５５）。
【００８３】
この振替入力画面７７では、振込元の口座情報と振込先の口座情報の内［月末残高予想］の代わりに［振替結果］が振替表示欄７８に表示されている。利用者がこの画面の金額入力欄７９に振替える金額を入力して確認釦８０をクリックすると、前記振替表示欄中７８の振替えた結果が［振替結果］に更新表示される。
【００８４】
利用者がこの内容を確認して実行釦８１をクリックすると、この振替え情報がサーバ２に送られる（Ｓ５６）。振替部１３ａでは送られた情報を編集して、該当した銀行端末３に対して振替え依頼を送信する（Ｓ５７）。
【００８５】
銀行から振替えた旨の報告がなされると（Ｓ５８）、振替部１３ａはその報告を利用者端末に転送して利用者に対して操作が行われた旨を通知する。
【００８６】
以上の操作が終了後、終了釦をクリックすることでホームページ表示部１０が起動してコンテンツ画面３０が表示される。
【００８７】
図２３は、資金移動サービスの振込先口座登録に関して利用者端末５とサーバ２との情報授受手順を示す概略のシーケンス図である。
【００８８】
利用者がコンテンツ画面３０において振込先口座登録３２ｂをクリックすると、その情報がサーバ２に送られて（Ｓ６１）、振込先口座登録部１３ｂが起動して図２４に示す振込先口座登録画面８５が表示される（Ｓ６２）。
【００８９】
この画面に表示される振込先口座登録表８６には、既に登録されてある口座の情報である、名義人名、銀行名、支店名、科目、口座番号及び目的が表示されている。
【００９０】
利用者が新しい口座を追加する場合は、新規追加釦８７をクリックする。すると、振込先口座登録入力欄８９に口座の情報を入力することが可能となる。ここで、入力する口座の情報の内、［銀行名］と［支店名］と［科目］については各項目に対応したプルダウンメニュー（図示していない）を表示させてそれから選択させるように構成している。また、［目的］は振込画面９３において表示される内容である。
【００９１】
各項目の情報を入力後、実行釦９０をクリックすると、新規追加情報がサーバ２に送られ（Ｓ６３）、振込先口座登録部１３ｂはこの情報を確認して、振込先口座登録データメモリ１７ｃに記憶する。
【００９２】
利用者が登録されてある口座を削除する場合は、削除釦８８をクリックする。そして、削除したい口座の［ＮＯ．］をクリックすると、その口座の行が確認のために反転表示される。
【００９３】
続いて、実行釦９０をクリックすると、削除情報がサーバ２に送られ（Ｓ６４）、振込先口座登録部１３ｂは振込先口座登録データメモリ１７ｃからこの情報を削除する。
【００９４】
以上の操作後、終了釦９１をクリックすればホームページ表示部１０が起動してコンテンツ画面３０が表示される。
【００９５】
図２５は、資金移動サービスの振込に関して利用者端末５とサーバ２と銀行端末３との情報授受手順を示す概略のシーケンス図である。
【００９６】
利用者がコンテンツ画面３０上で振込３２ｃをクリックすると、その選択情報をサーバ２が受取り（Ｓ６５）、振込部１３ｃが起動して口座登録データメモリ１７ａを検索して登録されている銀行情報を取出し、その各銀行に対して現在の残高照会を要求する（Ｓ６６）。
【００９７】
銀行から現在残高情報が入力されると（Ｓ６７）、振込部１３ｃはカレンダデータメモリ１７ｂを検索して該当した銀行口座の支払、振込計画を取出して月末予想残高を計算する。
【００９８】
さらに、振込部１３ｃは振込先口座登録データメモリ１７ｃを検索して振込先の候補となる銀行口座の情報を取出し、これらの情報を図２６に示す振込画面９３として利用者端末５に表示する（Ｓ６８）。
【００９９】
振込画面９３には、利用者が予め登録した銀行口座単位で現在残高と月末予想残高が記載された残高表示欄９４と、利用者が予め登録した振込先銀行口座の情報が記載された振込先表示欄９５が表示されている。この残高表示欄９４では、単に項目を表示するだけではなく、現在あるいは月末において口座の残高が所定額以下あるいは口座の残高が不足する場合には表示色を例えば赤に変更して利用者に注意を与えるようにしている。
【０１００】
この振込画面９３において、例えばＡ銀行の口座からＹ銀行の口座に振込む場合は、Ａ銀行の残高表示欄９４をドラッグしてＹ銀行の振込先表示欄９５上にドロップするとその振込情報がサーバ２に送られ（Ｓ６９）、振込部１３ｃが起動してその情報に基づいて、図２７に示す振込入力画面９６が表示される（Ｓ７０）。
【０１０１】
尚、この振込操作は、最初にＡ銀行の残高表示欄９４上でマウスをクリックすることで振込元を指定し、次にＹ銀行の振込先表示欄９５上でマウスをクリックして振込先を指定することでも実施することができる。
【０１０２】
この振込入力画面９６では、振込元の口座情報と振込先の口座情報が振込表示欄９７に表示されている。利用者がこの画面の金額入力欄９８に振込む金額を入力して確認釦９９をクリックすると、前記振込表示欄９７中の振込結果の残高が［振込結果］として更新表示される。
【０１０３】
利用者がこの内容を確認して実行釦１００をクリックすると、この振込情報がサーバ２に送られる（Ｓ７１）。振込部１３ｃでは振込に必要な情報を編集して、該当した銀行端末３に対して振込依頼を送信する（Ｓ７２）。
【０１０４】
銀行から振込んだ旨の報告がなされると（Ｓ７３）、振込部１３ｃはその報告を利用者端末５に転送して利用者に対して操作が行われた旨を通知する。
【０１０５】
以上の操作が終了後、終了釦をクリックすることでホームページ表示部１０が起動してコンテンツ画面３０が表示される。
【０１０６】
図２８は、情報照会サービスの照会銀行登録に関して利用者端末５とサーバ２との情報授受手順を示す概略のシーケンス図である。
【０１０７】
利用者がコンテンツ画面３０上で照会銀行登録３３ａをクリックすると、その選択情報をサーバ２が受取り（Ｓ７７）、照会銀行登録部１４ａが起動して図２９に示す照会銀行登録画面１０１を利用者端末５に表示させる（Ｓ７８）。
【０１０８】
この画面に表示される照会銀行登録表１０２には、既に登録されてある銀行の名称が表示されている。
【０１０９】
利用者が新しい銀行名を追加する場合は、新規追加釦１０３をクリックする。すると、銀行名登録入力欄１０５に銀行名を入力することが可能となる。ここで入力する［銀行名］についてはプルダウンメニュー（図示していない）を表示させてそれから選択させるように構成している。
【０１１０】
銀行名を入力後、実行釦１０６をクリックすると、新規追加情報がサーバ２に送られ（Ｓ７９）、照会銀行登録１４ａはこの情報を確認して、照会銀行データメモリ１７ｄに記憶する。
【０１１１】
利用者が登録されてある銀行名を削除する場合は、削除釦１０４をクリックして、削除したい口座の［ＮＯ．］をクリックすると、その口座の行が確認のために反転表示される。
【０１１２】
続いて、実行釦１０６をクリックすると、削除情報がサーバ２に送られ（Ｓ８０）、照会銀行登録１４ａは照会銀行データメモリ１７ｄからこの情報を削除する。
【０１１３】
以上の操作後、終了釦１０７をクリックすればホームページ表示部１０が起動してコンテンツ画面３０が表示される。
【０１１４】
図３０は、情報照会サービスの情報照会に関して利用者端末５とサーバ２と銀行端末３との情報授受手順を示す概略のシーケンス図である。
【０１１５】
利用者がコンテンツ画面３０上で情報照会３３ｂをクリックすると、その選択情報をサーバ２が受取り（Ｓ８３）情報照会部１４ｂが起動する。情報照会部１４ｂは照会銀行データメモリ１７ｄを検索して照会する銀行名を抽出し、次にその銀行名をキー項目として銀行情報メモリ１７ｅを検索して該当する各銀行の情報を取出して編集し、図３１に示す情報照会画面１１０を利用者端末５に表示する（Ｓ８４）。
【０１１６】
情報照会画面１１０には、照会情報表１１１が表示され、この照会情報表１１１には、各銀行の利率などの金融情報が一覧として表わされている。
【０１１７】
ここで、この照会情報表１１１のいずれかの項目、例えば［定期預金利率］をクリックするとその項目毎に予め定められている順序で並び替えが行われる。この項目の場合は利率の高い順に並び替えられるため、有利な銀行を直ちに把握することができる。
【０１１８】
そして、この照会情報表１１１に表示される項目は利用者が任意に選択して編集することが可能である。
【０１１９】
尚、各銀行の情報を収集する動作は前記の情報照会がなされたタイミングで行うのではなく、サーバ２が別個に取り決めたタイミングで銀行情報収集部１５が起動し各銀行に対して情報を問い合わせる（Ｓ８５）。各銀行からの情報が入力されると（Ｓ８６）、銀行情報収集部１５はその情報を銀行情報メモリ１７ｅに記憶して、他のサービスが任意の時点で参照できるようになっている。
【０１２０】
以上の操作の後、終了釦１１２をクリックするとホームページ表示部１０が起動してコンテンツ画面３０が表示される。
【０１２１】
図３２は、口座開設サービスの口座開設に関して利用者端末５とサーバ２と銀行端末３との情報授受手順を示す概略のシーケンス図である。
【０１２２】
利用者がコンテンツ画面３０上で口座開設３４ａをクリックすると、その選択情報をサーバ２が受取り（Ｓ８８）、口座開設部１６が起動し図３３に示す口座開設画面１１５を表示する（Ｓ８９）。
【０１２３】
利用者は、口座開設入力欄１１６に口座を開設するための情報である銀行名等と利用者の住所等を入力して実行釦１１７をクリックすると口座開設情報がサーバ２に送られる（Ｓ９０）。
【０１２４】
口座開設部１６は、口座開設を希望する銀行の銀行端末３に対して口座開設依頼を送り出す（Ｓ９１）。銀行ではこの依頼に基づいて口座を開設し、その結果をサーバ２に送信して報告する（Ｓ９２）。口座開設部１６は送られてきた報告書を利用者端末に転送して口座開設が行われた旨を通知する（Ｓ９３）。
【０１２５】
ここで、口座開設後において、例えば利用者がその銀行の窓口で自らが開設された口座の名義人であることを立証する必要が生ずる場合がある。従来においては、口座開設は銀行窓口で行うため通帳、カードなどを受領しそれに基づいて証明することができるが、インターネットバンキングにおいては受領する方法が問題となる。郵送などにより受領できれば良いが、銀行によってはそのような受け渡しを行わないケースが有り得るからである。
【０１２６】
このような場合には、サービス提供業者は利用者を特定するためのユニークな識別コードを設定することで上記問題を解決する。
【０１２７】
サーバ２の口座開設部１６は上記設定された識別コードを銀行に送信する（Ｓ９４）。銀行ではこの識別コードと口座開設に関する情報を包含したカード情報をサーバ２に返送する（Ｓ９５）。口座開設部１６は本インターネットバンキングのサービス提供業者に対して、返送されたカード情報を記載したカードを作成して利用者に郵送せしむるように指示を出す（Ｓ９６）。
【０１２８】
以上のようにして、利用者はサービス提供業者から送られるカードを提示して銀行の窓口などにおいて名義人本人であることを主張して通帳などを受領することができる。
【０１２９】
尚、サービス提供業者で設定した識別コードと金融機関からのパスワードを用いて本人を特定する方式は銀行との取引に限定されるものではない。証券会社、保険会社、デパート等カードを媒体として使用する業界全てに適用することが可能である。
【０１３０】
また、インターネットでショッピングを行う際に使用するクレジットカードの番号の代わりに、この識別コードとパスワードを用いても取引できるようにすることで、金融機関等に出向くことなくインターネットを用いた取引を行うことも可能である。
【０１３１】
【発明の効果】
以上説明したようにこの発明は、インターネットを利用したサービス事業を実現するビジネスの分野、このサービス事業に用いられる情報記憶媒体を製造、使用する分野、この情報記憶媒体を記憶再生可能な装置の技術分野に有効である。
【図面の簡単な説明】
【図１】
この発明の一実施形態に係るインターネットバンキング支援装置が適用されるネットワークシステムの構成を示す説明図。
【図２】
サーバ２の概略構成を示すブロック図。
【図３】
インタネットバンキングに新しく加入する場合の利用端末とサーバとの情報授受手順を示す概略のシーケンス図。
【図４】
インターネットバンキングのホームページを示す図。
【図５】
インタネットバンキングに新しく加入する場合に利用者が入力する申込画面を示す図。
【図６】
インターネットバンキングのパスワード連絡画面を示す図。
【図７】
インターネットバンキングのコンテンツ画面を示す図。
【図８】
資金管理サービスの口座登録に関して利用者端末とサーバとの情報授受手順を示す概略のシーケンス図。
【図９】
インターネットバンキングの口座登録画面を示す図。
【図１０】
資金管理サービスのカレンダに関して利用者端末とサーバと取引者端末との情報授受手順を示す概略のシーケンス図。
【図１１】
インターネットバンキングのカレンダ画面を示す図。
【図１２】
インターネットバンキングの支払入力予定画面を示す図。
【図１３】
資金管理サービスの資金照会に関して利用者端末とサーバと銀行端末との情報授受手順を示す概略のシーケンス図。
【図１４】
インターネットバンキングの資金照会画面を示す図。
【図１５】
インターネットバンキングの資金照会画面を示す図。
【図１６】
インターネットバンキングの取引明細照会画面を示す図。
【図１７】
インターネットバンキングの残高予想画面を示す図。
【図１８】
資金管理サービスの資金一覧照会に関して利用者端末とサーバと銀行端末との情報授受手順を示す概略のシーケンス図。
【図１９】
インターネットバンキングの取引照会一覧画面を示す図。
【図２０】
資金移動サービスの振替に関して利用者端末とサーバと銀行端末との情報授受手順を示す概略のシーケンス図。
【図２１】
インターネットバンキングの振替画面を示す図。
【図２２】
インターネットバンキングの振替入力画面を示す図。
【図２３】
資金移動サービスの振込先口座登録に関して利用者端末とサーバとの情報授受手順を示す概略のシーケンス図。
【図２４】
インターネットバンキングの振替先口座登録画面を示す図。
【図２５】
資金移動サービスの振込に関して利用者端末とサーバと銀行端末との情報授受手順を示す概略のシーケンス図。
【図２６】
インターネットバンキングの振込画面を示す図。
【図２７】
インターネットバンキングの振込入力画面を示す図。
【図２８】
情報照会サービスの照会銀行登録に関して利用者端末とサーバとの情報授受手順を示す概略のシーケンス図。
【図２９】
インターネットバンキングの照会銀行登録画面を示す図。
【図３０】
情報照会サービスの情報照会に関して利用者端末とサーバと銀行端末との情報授受手順を示す概略のシーケンス図。
【図３１】
インターネットバンキングの情報照会画面を示す図。
【図３２】
口座開設サービスの口座開設に関して利用者端末とサーバと銀行端末との情報授受手順を示す概略のシーケンス図。
【図３３】
インターネットバンキングの口座開設画面を示す図。
【符号の説明】
１…インターネット
２…サービス提供サーバ
３…銀行端末
４…取引者端末
５…利用者端末
９…通信インターフェース
１２…資金管理部
１３…資金移動部
１４…情報紹介部
１５…銀行情報収集部
１７…メモリ部
４５…カレンダ画面
６０…資金照会画面
７５…振替画面
【国際調査報告】
2002027576.tif 000036
2002027576.tif 000037
2002027576.tif 000038